(57)【要約】【課題】携帯電話端末を片手で操作しようとするユーザの利便性を高めることが可能な携帯端末、端末表示方法、及び端末表示プログラムを提供する。【解決手段】スマートフォン１は、複数のアイコンを表示可能なタッチパネルを備える携帯端末であって、タッチパネルにおける指の接触位置を検知する入力受付部１１及び入力検出部１２と、検知された接触位置に応じて予め定められた、複数のアイコンの表示位置の変更方式に基づいて、これら複数のアイコンの表示位置を変更してタッチパネルに表示させる表示制御部１３及び表示部１４と、を備える。これにより、指が届く接触位置に応じて予め定められた変更方式に基づいて複数のアイコンの表示位置を変更させることにより、片手で自由自在に操作することができる。この結果、携帯電話端末を片手で操作しようとするユーザの利便性を高めることが可能になる。【選択図】図１
2013229003.tif 000002
【特許請求の範囲】
【請求項１】
複数のアイコンを表示可能なタッチパネルを備える携帯端末であって、
前記タッチパネルにおける指の接触位置を検知する検知手段と、
前記検知手段により検知された前記接触位置に応じて予め定められた、前記複数のアイコンの表示位置の変更方式に基づいて、当該複数のアイコンの表示位置を変更して前記タッチパネルに表示させる表示手段と、
を備えることを特徴とする携帯端末。
【請求項２】
前記検知手段により検知された前記接触位置と、前記複数のアイコンの表示位置の変更方式とを、関連付ける入替情報を記憶する記憶手段を更に備え、
前記表示手段は、前記記憶手段により記憶された前記入替情報に基づいて前記アイコンの表示を行う、ことを特徴とする請求項１に記載の携帯端末。
【請求項３】
前記記憶手段により記憶されている前記入替情報の変更設定の入力を受け付ける設定手段を更に備える、ことを特徴とする請求項２に記載の携帯端末。
【請求項４】
前記複数のアイコンの表示位置の変更方式は、当該複数のアイコンのそれぞれの表示位置を、前記タッチパネルの中心を通る直線を対称軸として線対称に反転させた位置に変更させることである、ことを特徴とする請求項１〜３のいずれか１項に記載の携帯端末。
【請求項５】
前記複数のアイコンの表示位置の変更方式は、当該複数のアイコンのそれぞれの表示位置を、前記タッチパネルの中心を対称点として点対称に反転させた位置に変更させることである、ことを特徴とする請求項１〜３のいずれか１項に記載の携帯端末。
【請求項６】
前記複数のアイコンの表示位置の変更方式は、当該複数のアイコンのそれぞれの表示位置を、前記検知手段により検知された前記接触位置の移動方向に応じて、変更させることである、ことを特徴とする請求項１〜３のいずれか１項に記載の携帯端末。
【請求項７】
前記複数のアイコンの表示位置の変更方式は、当該複数のアイコンのそれぞれの表示位置の間隔を、前記検知手段により検知された前記接触位置に応じて、変更させることである、ことを特徴とする請求項１〜３のいずれか１項に記載の携帯端末。
【請求項８】
前記複数のアイコンの表示位置の変更方式は、当該複数のアイコンのそれぞれの表示位置を、前記検知手段により検知された前記接触位置との距離が短くなる方向に、変更させることである、ことを特徴とする請求項１〜３のいずれか１項に記載の携帯端末。
【請求項９】
複数のアイコンを表示可能なタッチパネルを備える携帯端末が行う端末表示方法であって、
前記携帯端末が、前記タッチパネルにおける指の接触位置を検知する検知ステップと、
前記携帯端末が、前記検知ステップにより検知された前記接触位置に応じて予め定められた、前記複数のアイコンの表示位置の変更方式に基づいて、当該複数のアイコンの表示位置を変更して前記タッチパネルに表示させる表示ステップと、
を有することを特徴とする端末表示方法。
【請求項１０】
コンピュータを、複数のアイコンを表示可能なタッチパネルを備える携帯端末として機能させる端末表示プログラムであって、
前記コンピュータに、
前記タッチパネルにおける指の接触位置を検知する検知手段の機能と、
前記検知手段により検知された前記接触位置に応じて予め定められた、前記複数のアイコンの表示位置の変更方式に基づいて、当該複数のアイコンの表示位置を変更して前記タッチパネルに表示させる表示手段の機能と、
を実現させることを特徴とする端末表示プログラム。
【発明の詳細な説明】
【技術分野】
【０００１】
本発明は、複数のアイコンを表示可能なタッチパネルを備える携帯端末と、当該携帯端末が行う端末表示方法と、コンピュータを当該携帯端末として機能させる端末表示プログラムとに関する。
【背景技術】
【０００２】
従来、アイコン同士を入れ替えて表示することが可能な携帯電話端末が提案されている。例えば特許文献１には、五方向スイッチの操作により移動元アイコンが選択された後、五方向スイッチの操作により移動先アイコンが選択されると、表示パネルにおいて、これら移動先アイコン及び移動元アイコンを入れ替えて表示させる、携帯端末のアイコンの表示方法が開示されている。
【先行技術文献】
【特許文献】
【０００３】
【特許文献１】特開２００２−１３２４１２号公報
【発明の概要】
【発明が解決しようとする課題】
【０００４】
ところで、上述の特許文献１に記載された五方向スイッチの代わりに大画面のタッチパネルが搭載されたスマートフォンといった携帯電話端末においては、片手で操作する場合、タッチパネル上で指が届く範囲は限られるため、アイコンの位置によっては届かない場合がある。このため、携帯電話端末を片手で自由自在に操作しようとするユーザの利便性の低下を招いてしまうことがある。
【０００５】
そこで本発明は、上述の問題点を解消する為になされたものであり、携帯電話端末を片手で操作しようとするユーザの利便性を高めることが可能な携帯端末、端末表示方法、及び端末表示プログラムを提供することを目的とする。
【課題を解決するための手段】
【０００６】
本発明の一形態に係る携帯端末は、複数のアイコンを表示可能なタッチパネルを備える携帯端末であって、タッチパネルにおける指の接触位置を検知する検知手段と、検知手段により検知された接触位置に応じて予め定められた、複数のアイコンの表示位置の変更方式に基づいて、当該複数のアイコンの表示位置を変更してタッチパネルに表示させる表示手段と、を備えることを特徴とする。
【０００７】
この携帯端末によれば、タッチパネルにおける指の接触位置が検知されると、検知された接触位置に応じて予め定められた変更方式に基づいて、複数のアイコンの表示位置が変更されてタッチパネルに表示される。このため、この携帯端末をユーザが片手で操作しようとする際に、タッチパネル上で指が届く範囲は限られることからアイコンの位置によっては届かない場合があっても、指が届く接触位置に応じて予め定められた変更方式に基づいて複数のアイコンの表示位置を変更させることにより、片手で自由自在に操作することができる。この結果、携帯電話端末を片手で操作しようとするユーザの利便性を高めることが可能になる。
【０００８】
別の形態に係る携帯端末では、検知手段により検知された接触位置と、複数のアイコンの表示位置の変更方式とを、関連付ける入替情報を記憶する記憶手段を更に備え、表示手段は、記憶手段により記憶された入替情報に基づいてアイコンの表示を行ってもよい。
【０００９】
この形態では、検知手段により検知された接触位置と、複数のアイコンの表示位置の変更方式とを、関連付ける入替情報を記憶し、記憶された入替情報に基づいてアイコンの表示を行うことが可能になる。
【００１０】
別の形態に係る携帯端末では、記憶手段により記憶されている入替情報の変更設定の入力を受け付ける設定手段を更に備えもよい。
【００１１】
この形態では、記憶手段により記憶されている入替情報の変更設定の入力を受け付けて、入替情報を変更させることが可能になる。
【００１２】
別の形態に係る携帯端末では、複数のアイコンの表示位置の変更方式は、当該複数のアイコンのそれぞれの表示位置を、タッチパネルの中心を通る直線を対称軸として線対称に反転させた位置に変更させることであってもよい。
【００１３】
この形態では、複数のアイコンのそれぞれの表示位置を、タッチパネルの中心を通る直線を対称軸として線対称に反転させた位置に変更させることが可能になる。この結果、この携帯端末をユーザが片手で操作しようとする際にアイコンの位置によっては届かない場合があっても、複数のアイコンの表示位置を上述のように変更させることにより、片手でアイコンをタッチすることができる可能性が高くなる。この結果、携帯電話端末を片手で操作しようとするユーザの利便性を高めることが可能になる。
【００１４】
別の形態に係る携帯端末では、複数のアイコンの表示位置の変更方式は、当該複数のアイコンのそれぞれの表示位置を、タッチパネルの中心を対称点として点対称に反転させた位置に変更させることであってもよい。
【００１５】
この形態では、複数のアイコンのそれぞれの表示位置を、タッチパネルの中心を対称点として点対称に反転させた位置に変更させることが可能になる。この結果、この携帯端末をユーザが片手で操作しようとする際にアイコンの位置によっては届かない場合があっても、複数のアイコンの表示位置を上述のように変更させることにより、片手でアイコンをタッチすることができる可能性が高くなる。この結果、携帯電話端末を片手で操作しようとするユーザの利便性を高めることが可能になる。
【００１６】
別の形態に係る携帯端末では、複数のアイコンの表示位置の変更方式は、当該複数のアイコンのそれぞれの表示位置を、検知手段により検知された接触位置の移動方向に応じて、変更させることであってもよい。
【００１７】
この形態では、複数のアイコンのそれぞれの表示位置を、検知手段により検知された接触位置の移動方向に応じて、変更させることが可能になる。この結果、この携帯端末をユーザが片手で操作しようとする際にアイコンの位置によっては届かない場合があっても、複数のアイコンの表示位置を上述のように変更させることにより、片手でアイコンをタッチすることができる可能性が高くなる。この結果、携帯電話端末を片手で操作しようとするユーザの利便性を高めることが可能になる。
【００１８】
別の形態に係る携帯端末では、複数のアイコンの表示位置の変更方式は、当該複数のアイコンのそれぞれの表示位置の間隔を、検知手段により検知された接触位置に応じて、変更させることであってもよい。
【００１９】
この形態では、複数のアイコンのそれぞれの表示位置の間隔を、検知手段により検知された接触位置に応じて、変更させることが可能になる。この結果、この携帯端末をユーザが片手で操作しようとする際にアイコンの位置によっては届かない場合があっても、複数のアイコンの表示位置を上述のように変更させることにより、片手でアイコンをタッチすることができる可能性が高くなる。この結果、携帯電話端末を片手で操作しようとするユーザの利便性を高めることが可能になる。
【００２０】
別の形態に係る携帯端末では、複数のアイコンの表示位置の変更方式は、当該複数のアイコンのそれぞれの表示位置を、検知手段により検知された接触位置との距離が短くなる方向に、変更させることであってもよい。
【００２１】
この形態では、複数のアイコンのそれぞれの表示位置を、検知手段により検知された接触位置との距離が短くなる方向に、変更させることが可能になる。この結果、この携帯端末をユーザが片手で操作しようとする際にアイコンの位置によっては届かない場合があっても、複数のアイコンの表示位置を上述のように変更させることにより、片手でアイコンをタッチすることができる可能性が高くなる。この結果、携帯電話端末を片手で操作しようとするユーザの利便性を高めることが可能になる。
【００２２】
本発明の一形態に係る携帯表示方法は、複数のアイコンを表示可能なタッチパネルを備える携帯端末が行う端末表示方法であって、携帯端末が、タッチパネルにおける指の接触位置を検知する検知ステップと、携帯端末が、検知ステップにより検知された接触位置に応じて予め定められた、複数のアイコンの表示位置の変更方式に基づいて、当該複数のアイコンの表示位置を変更してタッチパネルに表示させる表示ステップと、を有することを特徴とする。
【００２３】
この携帯表示方法によれば、タッチパネルにおける指の接触位置が検知されると、検知された接触位置に応じて予め定められた変更方式に基づいて、複数のアイコンの表示位置が変更されてタッチパネルに表示される。このため、この携帯端末をユーザが片手で操作しようとする際に、タッチパネル上で指が届く範囲は限られることからアイコンの位置によっては届かない場合があっても、指が届く接触位置に応じて予め定められた変更方式に基づいて複数のアイコンの表示位置を変更させることにより、片手で自由自在に操作することができる。この結果、携帯電話端末を片手で操作しようとするユーザの利便性を高めることが可能になる。
【００２４】
本発明の一形態に係る端末表示プログラムは、コンピュータを、複数のアイコンを表示可能なタッチパネルを備える携帯端末として機能させる端末表示プログラムであって、コンピュータに、タッチパネルにおける指の接触位置を検知する検知手段の機能と、検知手段により検知された接触位置に応じて予め定められた、複数のアイコンの表示位置の変更方式に基づいて、当該複数のアイコンの表示位置を変更してタッチパネルに表示させる表示手段の機能と、を実現させることを特徴とする。
【００２５】
この端末表示プログラムによれば、タッチパネルにおける指の接触位置が検知されると、検知された接触位置に応じて予め定められた変更方式に基づいて、複数のアイコンの表示位置が変更されてタッチパネルに表示される。このため、この携帯端末をユーザが片手で操作しようとする際に、タッチパネル上で指が届く範囲は限られることからアイコンの位置によっては届かない場合があっても、指が届く接触位置に応じて予め定められた変更方式に基づいて複数のアイコンの表示位置を変更させることにより、片手で自由自在に操作することができる。この結果、携帯電話端末を片手で操作しようとするユーザの利便性を高めることが可能になる。
【発明の効果】
【００２６】
本発明によれば、携帯電話端末を片手で操作しようとするユーザの利便性を高めることが可能な携帯端末、端末表示方法、及び端末表示プログラムを提供することができる。
【図面の簡単な説明】
【００２７】
【図１】本実施形態に係るスマートフォンの機能構成の概略を説明するための機能ブロック図である。
【図２】スマートフォンの物理構成の概略を説明するための物理構成図である。
【図３】入力検出部によりアイコンが存在しない位置として認識される接触位置の一例と、表示制御部による表示内容の一例を説明するためのタッチパネル画面図である。
【図４】データベースによる入替情報の記憶方法の一例を説明するためのテーブル構成図である。
【図５】タッチパネルにおいて左右を入れ替える線対称方式が採用された場合の再配置の一例を示す配置説明図である。
【図６】タッチパネルにおいて上下を入れ替える線対称方式が採用された場合の再配置の一例を示す配置説明図である。
【図７】タッチパネルにおいて点対称方式が採用された場合の再配置の一例を示す配置説明図である。
【図８】設定部により提供されるユーザインタフェースの一例を説明するための画面構成図である。
【図９】設定部による入替情報の設定処理の流れを示すフローチャートである。
【図１０】入力検出部による接触位置の検出から表示部によるアイコン入替表示を行うまでの流れを示すフローチャートである。
【図１１】端末表示プログラムのモジュール構成を説明するためのモジュール構成図である。
【図１２】タッチパネルにおいて左右を入れ替える線対称方式が採用された場合の再配置の変形例を示す配置説明図である。
【図１３】タッチパネルにおいて上下を入れ替える線対称方式が採用された場合の再配置の変形例を示す配置説明図である。
【図１４】タッチパネルにおいて点対称方式が採用された場合の再配置の変形例を示す配置説明図である。
【発明を実施するための形態】
【００２８】
以下、添付図面を参照しながら本発明の好適な実施形態を説明する。なお、図面の説明において同一要素には同一符号を付し、重複する説明を省略する。
【００２９】
（１）スマートフォンの構成
まず、本実施形態に係るスマートフォンの構成について、図１及び図２を用いて説明する。図１は、本実施形態に係るスマートフォン１の機能構成の概略を説明するための機能ブロック図であり、図２は、このスマートフォン１の物理構成の概略を説明するための物理構成図である。スマートフォン１は、複数のアイコン（項目）を表示可能なタッチパネルディスプレイを備えた携帯電話端末である。スマートフォン１におけるアイコンを選択して実行させることにより、このアイコンに対応する所定の機能（例えばアプリケーションソフトウェアが有する機能）が起動される。スマートフォン１は、ユーザの指がタッチパネルにおいて一回タッチした所定の位置に応じて、アイコンの表示位置を変更させることが可能である。
【００３０】
スマートフォン１は、図２に示されるように、主な物理的な構成要素としてＣＰＵ１０１（Central Processing Unit）、ＲＡＭ１０２（Random Access Memory）、ＲＯＭ１０３（Read Only Memory）、操作部１０４、無線通信部１０５、ディスプレイ１０６、及びアンテナ１０７等のハードウェアにより構成されている携帯可能なコンピュータ端末である。これらの構成要素が動作することにより、スマートフォン１が有する各機能が発揮される。
【００３１】
スマートフォン１は、図１に示されるように、主な機能的な構成要素として、入力受付部１１（検知手段）、入力検出部１２（検知手段）、表示制御部１３（表示手段）、表示部１４（表示手段）、データベース１５（記憶手段）、及び設定部１６（設定手段）を備えて構成されている。
【００３２】
入力受付部１１は、スマートフォン１を操作するユーザの指がタッチパネルにおいてタッチした接触位置（押下位置）を検知する感知機能部分である。入力受付部１１は、ユーザの指のタッチを検知すると、この接触位置及び押下状態に関する接触情報を取得する。なお、接触位置とは、例えば、タッチパネルにおける縦座標及び横座標で示される位置のことであり、押下状態とは、接触が継続している時間のことである。
【００３３】
入力検出部１２は、入力受付部１１により取得された接触情報を分析する分析処理部分である。入力検出部１２は、この接触情報を分析することにより、上述の接触位置が、アイコン等の項目が存在する位置（アイコンの表示領域）に対応する位置であるか、アイコン等の項目が存在しない位置に対応する後述の位置であるかを検出して認識する。上述の接触位置が、アイコンが存在する位置である場合、このアイコンに対応する所定の機能（例えばアプリケーションソフトウェアが有する機能）が起動される。
【００３４】
ここで、アイコンが存在しない位置とは、例えば後述の、略長方形状のタッチパネルにおける、頂点近傍の位置ａ，ｃ，ｅ，ｇの四箇所、長辺近傍の線分ｂ，ｆの二箇所、及び短辺近傍の線分ｄ，ｈの二箇所であり、ユーザの指の接触が検知されても周辺のアイコンに対応するアプリケーションソフトウェアが起動されない領域である。
【００３５】
表示制御部１３は、入力検出部１２により認識された上述の接触位置に応じて予め定められた、複数のアイコンの表示位置の変更方式に基づいて、これら複数のアイコンの表示位置を変更し、表示部１４を制御してタッチパネルに表示させる制御部分である。表示制御部１３は、入力検出部１２により認識された上述の接触位置がアイコンが存在しない位置の場合に、対応する変更方式に従ったアイコンの再配列処理を行う。表示制御部１３は、上述の接触位置に応じて予め定められた変更方式に関する入替情報を、データベース１５に対して要求して取得する。表示制御部１３は、データベース１５から取得した入替情報に基づいて、これら複数のアイコンの表示位置を変更し、表示部１４を制御してタッチパネルに表示させる。
【００３６】
なお、複数のアイコンの表示位置の変更方式は、これら複数のアイコンのそれぞれの表示位置を、入力検出部１２により検知された上述の接触位置の移動方向に応じて、変更させることであってもよい。例えば、スマートフォン１のユーザに対して表示中の状態におけるディスプレイ１０６の下方向（即ち、スマートフォン１のユーザの身体に向かう方向）への上述の接触位置の移動方向に応じて、これら複数のアイコンのそれぞれの表示位置を、同じくディスプレイ１０６の下方向へと変更させてもよい。
【００３７】
また、複数のアイコンの表示位置の変更方式は、これら複数のアイコンのそれぞれの表示位置の互いの間隔を、入力検出部１２により検知された上述の接触位置に応じて、変更させることであってもよい。例えば、スマートフォン１のユーザに対して表示中の状態におけるディスプレイ１０６の下方領域（即ち、スマートフォン１のユーザの身体に近い領域）における上述の接触位置に応じて、これら複数のアイコンのそれぞれの表示位置の互いの間隔を、狭めてもよい。
【００３８】
更に、複数のアイコンの表示位置の変更方式は、これら複数のアイコンのそれぞれの表示位置を、入力検出部１２により検知された上述の接触位置との距離が短くなる方向に、変更させることであってもよい。例えば、スマートフォン１のユーザに対して表示中の状態におけるディスプレイ１０６の下方領域（即ち、スマートフォン１のユーザの身体に近い領域）における上述の接触位置に応じて、これら複数のアイコンのそれぞれの表示位置を、この接触位置との距離が短くなる方向に、変更させてもよい。
【００３９】
表示部１４は、表示制御部１３による制御の下で、複数のアイコンの表示位置を変更して表示するタッチパネル機能部分である。表示部１４は、表示制御部１３から渡された入替情報を取得して、この入替情報に従って、複数のアイコンを再配列して表示することが可能である。
【００４０】
データベース１５は、入力検出部１２により検知された接触位置と、複数のアイコンの表示位置の変更方式とを、関連付ける入替情報を記憶するデータベース機能部分である。複数のアイコンの表示位置の変更方式には、例えば、線対称方式や点対称方式がある。
【００４１】
ここで、線対称方式とは、これら複数のアイコンのそれぞれの表示位置を、タッチパネルの中心を通る直線を対称軸として、線対称に反転させた位置に変更させることである。また、点対称方式とは、これら複数のアイコンのそれぞれの表示位置を、タッチパネルの中心を対称点として、点対称に反転させた位置に変更させることである。複数のアイコンの表示位置の変更方式の詳細については、後述する。
【００４２】
設定部１６は、データベース１５により記憶されている入替情報の変更設定の入力を受け付けるアプリケーション機能部分である。設定部１６は、入替情報の変更設定のユーザによる入力を受け付け、この変更設定に従って入替情報の内容を変更して上書き保存する。
【００４３】
（２）アイコンが存在しない位置として認識される接触位置の一例と、表示制御部による表示内容の一例
引き続き、入力検出部１２によりアイコンが存在しない位置として認識される接触位置の一例と、表示制御部１３による表示内容の一例について、図３を用いて説明する。図３は、アイコンが存在しない位置として認識される接触位置の一例と、表示制御部１３による表示内容の一例を説明するためのタッチパネル画面図である。
【００４４】
ここで、アイコンが存在しない位置（アイコンの表示位置の変更のために押下される位置）として入力検出部１２により認識される接触位置は、略長方形状のタッチパネルにおける、頂点近傍の位置ａ，ｃ，ｅ，ｇの四箇所、長辺近傍であって長辺に平行な線分ｂ，ｆの二箇所、及び短辺近傍であって短辺に平行な線分ｄ，ｈの二箇所、の計八箇所の端縁部分である。長辺近傍の線分ｂ，ｆの二箇所及び短辺近傍の線分ｄ，ｈの二箇所は、接触位置が線分上に存在すれば、対応する線分が押下されたと検出される。
【００４５】
また、タッチパネルには、表示制御部１３により、アイコンＰ１〜Ｐ４がタッチパネルの上端近傍に左側から順に配置されるよう表示されており、アイコンＱ１〜Ｑ４がタッチパネルの下端近傍に左側から順に配置されるよう表示されている。
【００４６】
（３）データベースによる入替情報の記憶方法の一例
引き続き、データベース１５による入替情報の記憶方法の一例について、図４を用いて説明する。図４は、データベース１５による入替情報の記憶方法の一例を説明するためのテーブル構成図である。
【００４７】
例えば、データベース１５には、入力検出部１２により検出され得る検出箇所の位置「ａ」と、アイコンの入替（再配列）が行われる単位の「アイコン群」と、複数のアイコンの表示位置の入替方式（変更方式）の「線対称」とが、入替情報の一つとして関連付けて格納されている。
【００４８】
ここで、「入替単位」欄における「アイコン群」とは、複数のアイコンがグループ化されて入替されることを示すものであり、「個々のアイコン」とは、各アイコンの一つ一つが個々に入替されることを示すものである。
【００４９】
（４）線対称方式及び点対称方式によるアイコンの再配置の一例
引き続き、線対称方式及び点対称方式によるアイコンの再配置の一例について、図５〜図７を用いて説明する。図５は、タッチパネルにおいて左右を入れ替える線対称方式が採用された場合の再配置の一例を示す配置説明図であり、図６は、タッチパネルにおいて上下を入れ替える線対称方式が採用された場合の再配置の一例を示す配置説明図であり、図７は、タッチパネルにおいて点対称方式が採用された場合の再配置の一例を示す配置説明図である。
【００５０】
図５に示されるように、ユーザの指の検出箇所の位置が線分「ｆ」のうちの一点であると、入力検出部１２により検出されたとする。このとき、表示制御部１３によって、タッチパネルで表示中の全てのアイコンが、タッチパネルの中心を通り長辺に平行な一点鎖線Ｌ１（画面中心線）によってアイコン群Ａ，Ｂに分けられる。
【００５１】
そして、表示制御部１３によって、これら全てのアイコンのそれぞれの表示位置が、この一点鎖線Ｌ１を対称軸として、線対称に反転させた位置に変更されて、再配置が完了する。即ち、図３を用いて説明するなら、アイコンＰ１がアイコンＰ４の位置に再配置されるとともに、アイコンＱ２がアイコンＱ３の位置に再配置される。
【００５２】
また、図６に示されるように、ユーザの指の検出箇所の位置が線分「ｄ」のうちの一点であると、入力検出部１２により検出されたとする。このとき、表示制御部１３によって、タッチパネルで表示中の全てのアイコンが、タッチパネルの中心を通り短辺に平行な一点鎖線Ｌ２（画面中心線）によってアイコン群Ａ，Ｂに分けられる。
【００５３】
そして、表示制御部１３によって、これら全てのアイコンのそれぞれの表示位置が、この一点鎖線Ｌ２を対称軸として、線対称に反転させた位置に変更されて、再配置が完了する。即ち、図３を用いて説明するなら、アイコンＰ１がアイコンＱ１の位置に再配置されるとともに、アイコンＰ４がアイコンＱ４の位置に再配置される。
【００５４】
また、図７に示されるように、ユーザの指の検出箇所の位置が「ｅ」であると、入力検出部１２により検出されたとする。このとき、表示制御部１３によって、タッチパネルで表示中の全てのアイコンが、タッチパネルの中心を通り長辺に平行な一点鎖線Ｌ１と、タッチパネルの中心を通り短辺に平行な一点鎖線Ｌ２と、によってアイコン群Ａ，Ｂ，Ｃ，Ｄに分けられる。
【００５５】
そして、表示制御部１３によって、これら全てのアイコンのそれぞれの表示位置が、タッチパネルの中心Ｚを対称点として、点対称に反転させた位置に変更されて、再配置が完了する。即ち、図３を用いて説明するなら、アイコンＰ１がアイコンＱ４の位置に再配置されるとともに、アイコンＰ４がアイコンＱ１の位置に再配置される。
【００５６】
（５）設定部により提供されるユーザインタフェースの一例
引き続き、設定部１６により提供されるＵＩ（ユーザインタフェース）の一例について、図８を用いて説明する。図８は、設定部１６により提供されるユーザインタフェースの一例を説明するための画面構成図である。図８に示されるように、設定部１６は、アイコン入替の設定変更を行うためのアプリケーションソフトウェアとして起動されると、入替情報（アイコンの入替ルール）の変更設定のユーザによる入力を受け付けることが可能な設定画面を、タッチパネルに表示させる。
【００５７】
この設定画面では、アイコンの入替処理が開始される契機となる上述の位置ａ，ｃ，ｅ，ｇ、線分ｂ，ｄ，ｆ，ｈの八箇所のうち、何れの箇所についての変更設定を行うかユーザに選択させる。例えば、「“ａ”の入替を設定」が選択されると、入替単位及び入替方式を指定するようユーザに求める画面が次に表示される。
【００５８】
（６）スマートフォン１におけるアイコン再配置処理の流れ
引き続き、スマートフォン１におけるアイコン再配置処理（端末表示方法）の流れについて、図９及び図１０を用いて説明する。図９は、設定部１６による入替情報の設定処理の流れを示すフローチャートであり、図１０は、入力検出部１２による接触位置の検出から表示部１４によるアイコン入替表示を行うまでの流れを示すフローチャートである。
【００５９】
最初に、図９を用いて、設定部１６による入替情報の設定の流れについて説明する。まず、入替情報の変更設定を行うためのアプリケーションを起動するアイコンがユーザによって選択されると、設定部１６が、上述の設定画面をタッチパネルに表示させて、アイコンの入替処理の契機となる上述の位置ａ，ｃ，ｅ，ｇ、線分ｂ，ｄ，ｆ，ｈの八箇所のうち、何れの検出箇所に関する変更設定を行うかユーザに選択させる（ステップＳ１１）。ここで、入力受付部１１は、ユーザの指がタッチした接触位置を検知し、入力検出部１２が、この接触位置は、上述の箇所を選択するものか否かを検出して認識する。
【００６０】
そして、設定部１６が、選択された検出箇所に対応するアイコンの入替単位を問う質問画面をタッチパネルに表示させて、「アイコン群」又は「個々のアイコン」をユーザに選択させる（ステップＳ１２）。ここで、入力受付部１１は、ユーザの指がタッチした接触位置を検知し、入力検出部１２が、この接触位置は、上述の入替単位を選択するものか否かを検出して認識する。
【００６１】
そして、設定部１６が、選択された入替単位に対応するアイコンの入替方式を問う質問画面をタッチパネルに表示させて、「線対称（左右）」、「線対称（上下）」、又は「点対称」をユーザに選択させる（ステップＳ１３）。ここで、入力受付部１１は、ユーザの指がタッチした接触位置を検知し、入力検出部１２が、この接触位置は、上述の入替方式を選択するものか否かを検出して認識する。
【００６２】
最後に、設定部１６が、選択された検出箇所、入替単位、及び入替方式を示す入替情報を、データベース１５に反映して上書き保存するデータ格納処理を行う（ステップＳ１４）。そして、一連の処理が終了する。
【００６３】
次に、図１０を用いて、入力検出部１２による接触位置の検出から表示部１４によるアイコン入替表示を行うまでの流れについて説明する。まず、入力受付部１１が、ユーザの指のタッチを検知すると、タッチパネルにおけるこの接触位置及び押下状態に関する接触情報を取得する（ステップＳ２１、検知ステップ）。
【００６４】
そして、入力検出部１２が、入力受付部１１により取得された接触情報を分析し、上述の接触位置である押下場所が、アイコンの存在位置に対応する位置であるか、アイコンが存在しない位置に対応する位置であるかを検出して認識する（ステップＳ２２、検知ステップ）。
【００６５】
そして、押下場所が、アイコンが存在しない位置に対応する位置である場合、表示制御部１３が、入力検出部１２により認識されたこの押下場所に応じて予め割り当てられている変更方式に関する入替情報を、データベース１５に対して要求して取得して読み込む（ステップＳ２３、表示ステップ）。
【００６６】
最後に、表示部１４が、表示制御部１３から渡された入替情報を取得して、この入替情報に従って、複数のアイコンを入れ替えて再配列表示する（ステップＳ２４、表示ステップ）。そして、一連の処理が終了する。
【００６７】
（７）端末表示プログラムのモジュール構成
引き続き、端末表示プログラムのモジュール構成について図１１を用いて説明する。図１１は、コンピュータをスマートフォン１として機能させる端末表示プログラムＰのモジュール構成を説明するためのモジュール構成図である。
【００６８】
端末表示プログラムＰは、図１１に示すように、メインモジュールＭ０、入力受付モジュールＭ１、入力検出モジュールＭ２、表示制御モジュールＭ３、表示モジュールＭ４、データベースモジュールＭ５、及び設定モジュールＭ６を備えて構成される。
【００６９】
メインモジュールＭ０は、各種情報の演算処理を実行させる機能を統括的に制御する部分である。入力受付モジュールＭ１、入力検出モジュールＭ２、表示制御モジュールＭ３、表示モジュールＭ４、データベースモジュールＭ５、及び設定モジュールＭ６を実行することにより実現される機能はそれぞれ、上述の入力受付部１１、入力検出部１２、表示制御部１３、表示部１４、データベース１５、及び設定部１６の機能と同様である。
【００７０】
端末表示プログラムＰは、記録媒体または半導体メモリに固定的に記録された態様で提供される。また、端末表示プログラムＰは、通信ネットワークを介して提供されてもよい。
【００７１】
（８）本実施形態による作用及び効果
引き続き、本実施形態に係るスマートフォン１による作用及び効果について説明する。スマートフォン１によれば、タッチパネルにおける指の接触位置が検知されると、検知された接触位置に応じて予め定められた変更方式に基づいて、複数のアイコンの表示位置が変更されてタッチパネルに表示される。
【００７２】
このため、スマートフォン１をユーザが片手で操作しようとするユースケースがある場合に、タッチパネル上で指が届く範囲は限られることからアイコンの位置によっては届かないことがあっても、指が届く接触位置に応じて予め定められた変更方式に基づいて複数のアイコンの表示位置を変更させることにより、片手で自由自在に操作することが可能になる。この結果、スマートフォン１を片手で操作しようとするユーザの利便性を高めることができる。
【００７３】
また、スマートフォン１によれば、タッチパネルにおいて検知され得る接触位置と、複数のアイコンの表示位置の変更方式とを、関連付ける入替情報を記憶し、記憶された入替情報に基づいてアイコンの表示を行うことが可能になる。
【００７４】
また、スマートフォン１によれば、記憶されている入替情報の変更設定の入力を受け付けて、入替情報を変更させることが可能になる。
【００７５】
また、スマートフォン１によれば、複数のアイコンのそれぞれの表示位置を、タッチパネルの中心を通る直線を対称軸として線対称に反転させた位置に変更させることが可能になる。この結果、スマートフォン１をユーザが片手で操作しようとする際にアイコンの位置によっては届かない場合があっても、複数のアイコンの表示位置を上述のように変更させることにより、片手でアイコンをタッチすることができる可能性が高くなる。この結果、携帯電話端末を片手で操作しようとするユーザの利便性を高めることが可能になる。
【００７６】
また、スマートフォン１によれば、複数のアイコンのそれぞれの表示位置を、タッチパネルの中心を対称点として点対称に反転させた位置に変更させることが可能になる。この結果、スマートフォン１をユーザが片手で操作しようとする際にアイコンの位置によっては届かない場合があっても、複数のアイコンの表示位置を上述のように変更させることにより、片手でアイコンをタッチすることができる可能性が高くなる。この結果、携帯電話端末を片手で操作しようとするユーザの利便性を高めることが可能になる。
【００７７】
また、スマートフォン１によれば、複数のアイコンのそれぞれの表示位置を、入力検出部１２により検知された接触位置の移動方向に応じて、変更させることが可能になる。この結果、スマートフォン１をユーザが片手で操作しようとする際にアイコンの位置によっては届かない場合があっても、複数のアイコンの表示位置を上述のように変更させることにより、片手でアイコンをタッチすることができる可能性が高くなる。この結果、スマートフォン１を片手で操作しようとするユーザの利便性を高めることが可能になる。
【００７８】
また、スマートフォン１によれば、複数のアイコンのそれぞれの表示位置の間隔を、入力検出部１２により検知された接触位置に応じて、変更させることが可能になる。この結果、スマートフォン１をユーザが片手で操作しようとする際にアイコンの位置によっては届かない場合があっても、複数のアイコンの表示位置を上述のように変更させることにより、片手でアイコンをタッチすることができる可能性が高くなる。この結果、スマートフォン１を片手で操作しようとするユーザの利便性を高めることが可能になる。
【００７９】
また、スマートフォン１によれば、複数のアイコンのそれぞれの表示位置を、入力検出部１２により検知された接触位置との距離が短くなる方向に、変更させることが可能になる。この結果、スマートフォン１をユーザが片手で操作しようとする際にアイコンの位置によっては届かない場合があっても、複数のアイコンの表示位置を上述のように変更させることにより、片手でアイコンをタッチすることができる可能性が高くなる。この結果、スマートフォン１を片手で操作しようとするユーザの利便性を高めることが可能になる。
【００８０】
（９）変形例
上記の実施例では、スマートフォン１を操作するユーザの指がタッチパネルにおいて一回タッチした接触位置に応じて、アイコンの表示位置の変更方式が決定されるとして説明したが、ユーザの指がタッチパネルに接触する際の態様は特に限定されず、例えば、ユーザの指がタッチパネルにおいて所定の短時間のうちに二回タッチが行われた接触位置に応じて、アイコンの表示位置の変更方式が決定されてもよい。
【００８１】
また、図５に示された上記の実施例では、ユーザの指の検出箇所の位置が線分「ｆ」のうちの一点であると検出された後、全てのアイコンのそれぞれの表示位置が、線対称に反転させた位置に変更されて、再配置が完了するとして説明したが、これら複数のアイコンのそれぞれの表示位置は、入力検出部１２により検知された上述の接触位置の移動方向に応じて、更に変更されてもよい。
【００８２】
例えば、上述の線対称に反転させた位置への再配置を行った後の、ユーザの指の検出箇所の位置の移動方向（スライド方向）が、スマートフォン１のユーザに対して表示中の状態におけるディスプレイ１０６の下方向（即ち、図１２における始点Ｓから終点Ｅへの破線矢印の方向）である場合に、この移動方向に応じて、この再配置後の位置を、ディスプレイ１０６の下方向へ、更に変更させてもよい。
【００８３】
具体的には、図１２に示されるように、線対称反転後の位置がユーザの指の検出箇所の位置に最も近いアイコンＰ１が、線対称に反転して（図１２の右側における）アイコンＰ８の位置に再配置された後、ユーザの指の検出箇所の位置の下方向へのスライドに応じて、（図１２の右側における）アイコンＰ８の位置にあるアイコンＰ１が下方向へ、スライドして再配置される。他のアイコンＰ２〜Ｐ８は、アイコンＰ１〜Ｐ８による時計回りの回転となるように、スライドして再配置される。
【００８４】
すなわち、アイコンＰ４は、線対称に反転して（図１２の右側における）アイコンＰ３の位置に再配置された後、ユーザの指の検出箇所の位置の下方向へのスライドに応じて、（図１２の右側における）アイコンＰ３の位置にあるアイコンＰ４が左方向にスライドして再配置される。同様に、アイコンＰ８は、線対称に反転して（図１２の右側における）アイコンＰ７の位置に再配置された後、ユーザの指の検出箇所の位置の下方向へのスライドに応じて、（図１２の右側における）アイコンＰ７の位置にあるアイコンＰ８が右方向にスライドして再配置される。この結果、スマートフォン１をユーザが片手で操作しようとする際にアイコンの位置によっては届かない場合があっても、複数のアイコンの表示位置を上述のように変更させることにより、片手でアイコンをタッチすることができる可能性が高くなる。
【００８５】
また、図６に示された上記の実施例では、ユーザの指の検出箇所の位置が線分「ｄ」のうちの一点であると検出された後、全てのアイコンのそれぞれの表示位置が、線対称に反転させた位置に変更されて、再配置が完了するとして説明したが、これら複数のアイコンのそれぞれの表示位置は、入力検出部１２により検知された上述の接触位置との距離が短くなる方向に、更に変更されてもよい。
【００８６】
例えば、上述の線対称に反転させた位置への再配置を行った後に、ユーザの指の検出箇所の位置である線分「ｄ」のうちの一点との距離が短くなる方向（即ち、図１３における破線矢印により示された下方向）へ、この再配置後の位置を、更に変更させてもよい。
【００８７】
具体的には、図１３に示されるように、アイコンＱ１が線対称に反転して再配置された後、ユーザの指の検出箇所の位置である線分「ｄ」のうちの一点との距離が短くなる方向（即ち、図１３における破線矢印により示された下方向）へ、スライドして再配置される。他のアイコンＱ２〜Ｑ６も同様に、図１３における破線矢印により示された下方向へ、スライドして再配置される。この結果、スマートフォン１をユーザが片手で操作しようとする際にアイコンの位置によっては届かない場合があっても、複数のアイコンの表示位置を上述のように変更させることにより、片手でアイコンをタッチすることができる可能性が高くなる。
【００８８】
また、図７に示された上記の実施例では、ユーザの指の検出箇所の位置が「ｅ」であると検出された後、全てのアイコンのそれぞれの表示位置が、点対称に反転させた位置に変更されて、再配置が完了するとして説明したが、これら複数のアイコンのそれぞれの表示位置は、入力検出部１２により検知された上述の接触位置に応じて、更に変更されてもよい。
【００８９】
例えば、上述の点対称に反転させた位置への再配置を行った後に、ユーザの指の検出箇所の位置である「ｅ」が含まれるアイコン群Ａの領域内の全てのアイコンＲ１〜Ｒ４のそれぞれの表示位置の互いの間隔が、破線矢印の方向に示されるように、狭められてもよい。
【００９０】
具体的には、図１４に示されるように、アイコンＲ１が点対称に反転して再配置された後、アイコンＲ２〜Ｒ４との間隔が狭められる方向（即ち、図１４における左上方向）へ、スライドして再配置される。他のアイコンＲ２〜Ｒ４も同様に、他のアイコンとの間隔が狭められる方向へ、スライドして再配置される。この結果、スマートフォン１をユーザが片手で操作しようとする際にアイコンの位置によっては届かない場合があっても、複数のアイコンの表示位置を上述のように変更させることにより、片手でアイコンをタッチすることができる可能性が高くなる。
【産業上の利用可能性】
【００９１】
本発明によれば、携帯電話端末を片手で操作しようとするユーザの利便性を高めることが可能な携帯端末、端末表示方法、及び端末表示プログラムを提供することができる。
【符号の説明】
【００９２】
１…スマートフォン、１１…入力受付部、１２…入力検出部、１３…表示制御部、１４…表示部、１５…データベース、１６…設定部、１０１…ＣＰＵ、１０２…ＲＡＭ、１０３…ＲＯＭ、１０４…操作部、１０５…無線通信部、１０６…ディスプレイ、１０７…アンテナ、Ａ〜Ｄ…アイコン群、Ｅ…終点、ａ，ｃ，ｅ，ｇ…位置、ｂ，ｄ，ｆ，ｈ…線分、Ｌ１，Ｌ２…一点鎖線、Ｍ０…メインモジュール、Ｍ１…入力受付モジュール、Ｍ２…入力検出モジュール、Ｍ３…表示制御モジュール、Ｍ４…表示モジュール、Ｍ５…データベースモジュール、Ｍ６…設定モジュール、Ｐ…端末表示プログラム、Ｐ１〜Ｐ８，Ｑ１〜Ｑ６，Ｒ１〜Ｒ４…アイコン、Ｓ…始点。
【図１】
2013229003.tif 000003
【図２】
2013229003.tif 000004
【図３】
2013229003.tif 000005
【図４】
2013229003.tif 000006
【図５】
2013229003.tif 000007
【図６】
2013229003.tif 000008
【図７】
2013229003.tif 000009
【図８】
2013229003.tif 000010
【図９】
2013229003.tif 000011
【図１０】
2013229003.tif 000012
【図１１】
2013229003.tif 000013
【図１２】
2013229003.tif 000014
【図１３】
2013229003.tif 000015
【図１４】
2013229003.tif 000016